(57)【要約】【課題】不定形の瘤の塞栓にも容易かつ安全に対応でき、手術前の準備が容易であるとともに、手術の費用を削減できるカテーテルを提供する。【解決手段】使用環境温度よりも高い融点を有する接着部１１により、使用環境下において切り離される膨潤性高分子である投入材１２が接着され、前記接着部１１に光を照射して加熱することにより、前記投入材１２が切り離されるカテーテル１である。【選択図】図２
2008253516.tif 000002
【特許請求の範囲】
【請求項１】
使用環境温度よりも高い融点を有する接着部により使用環境下において切り離される投入材が接着され、前記接着部に光を照射して加熱することにより、前記投入材が切り離されるカテーテル。
【請求項２】
前記接着部に光を照射する光ファイバ部を更に有することを特徴とする請求項１に記載のカテーテル。
【請求項３】
前記接着部は、生体適応性の高分子であることを特徴とする請求項１または２に記載のカテーテル。
【請求項４】
前記投入材は、生体適応性の膨潤性高分子であることを特徴とする請求項１〜３のいずれか１項に記載のカテーテル。
【請求項５】
前記投入材は、生分解性の高分子であることを特徴とする請求項１〜４のいずれか１項に記載のカテーテル。
【請求項６】
前記投入材は、被覆材により覆われることを特徴とする請求項１〜５のいずれか１項に記載のカテーテル。
【請求項７】
前記投入材が接着される部位が、窪んで形成されることを特徴とする請求項１〜６のいずれか１項に記載のカテーテル。
【請求項８】
直状に延びるルーメンを更に有することを特徴とする請求項１〜７のいずれか１項に記載のカテーテル。
【請求項９】
前記投入材が、複数個搭載されていることを特徴とする請求項１〜８のいずれか１項に記載のカテーテル。
【発明の詳細な説明】
【技術分野】
【０００１】
本発明は、カテーテルに関し、特に、生体内に診断や治療用の材料を投入するために利用されるカテーテルに関する。
【背景技術】
【０００２】
従来より、脳動脈瘤等の破裂を防止するために、動脈瘤の内部にコイルを球状に充填する塞栓方法が行われている。例えば、特許文献１では、カテーテルを動脈瘤の入口近傍まで挿入し、カテーテルから動脈瘤の内部にコイルを充填する方法が開示されている。
【０００３】
しかし、この方法では、動脈瘤が不定形であることから、コイルにより完全に塞栓することができず、再手術を必要とする虞がある。
【０００４】
また、コイルの場合には、瘤の大きさがそのまま維持され、大きな瘤の場合に、周りの神経や動脈を圧迫し、頭痛やめまいの症状が出る可能性がある。
【０００５】
また、脳動脈瘤の形状や大きさは場合によって異なるため、様々な種類のコイルを手術前に準備する必要がある。
【０００６】
また、大きな動脈瘤の場合には、相当数のコイルを塞栓に用いなければならず、費用が高額となってしまう。
【特許文献１】特表２００６−５２８０３０号公報
【発明の開示】
【発明が解決しようとする課題】
【０００７】
本発明は、上記従来技術に伴う課題を解決するためになされたものであり、不定形の瘤の塞栓にも容易かつ安全に対応でき、手術前の準備が容易であるとともに、手術の費用を低減できるカテーテルを提供することを目的とする。
【課題を解決するための手段】
【０００８】
上記目的は、下記（１）〜（９）に記載の発明により達成される。
【０００９】
（１）使用環境温度よりも高い融点を有する接着部により使用環境下において切り離される投入材が接着され、前記接着部に光を照射して加熱することにより、前記投入材が切り離されるカテーテルである。
【００１０】
（２）前記接着部に光を照射する光ファイバ部を更に有することを特徴とする上記（１）に記載のカテーテルである。
【００１１】
（３）前記接着部は、生体適応性の高分子であることを特徴とする上記（１）または（２）に記載のカテーテルである。
【００１２】
（４）前記投入材は、生体適応性の膨潤性高分子であることを特徴とする上記（１）〜（３）のいずれか１つに記載のカテーテルである。
【００１３】
（５）前記投入材は、生分解性の高分子であることを特徴とする上記（１）〜（４）のいずれか１つに記載のカテーテルである。
【００１４】
（６）前記投入材は、被覆材により覆われることを特徴とする上記（１）〜（５）のいずれか１つに記載のカテーテルである。
【００１５】
（７）前記投入材が接着される部位が、窪んで形成されることを特徴とする上記（１）〜（６）のいずれか１つに記載のカテーテルである。
【００１６】
（８）直状に延びるルーメンを更に有することを特徴とする上記（１）〜（７）のいずれか１つに記載のカテーテルである。
【００１７】
（９）前記投入材が、複数個搭載されていることを特徴とする上記（１）〜（８）のいずれか１つに記載のカテーテルである。
【発明の効果】
【００１８】
上記（１）に記載の発明によれば、使用環境温度よりも高い融点を有する接着部により投入材が接着されているため、使用環境下においては接着部が溶融されることがなく、接着部に光を照射して加熱することによって、投入材を任意の場所で切り離すことができる。また、光を用いて接着部を溶融させるため、カテーテルに電流を流す必要がなく、生体に対して安全性が高い。
【００１９】
また、上記（２）に記載の発明によれば、接着部に光を照射する光ファイバ部が設けられるため、光を照射することにより接着部を加熱し、投入材を切り離すことができる。
【００２０】
また、上記（３）に記載の発明によれば、接着部が生体適応性の高分子であるため、溶融されて生体内に残留しても、生体に対して影響を与えない。
【００２１】
また、上記（４）に記載の発明によれば、投入材が生体適応性の膨潤性高分子であるため、生体内で使用されても影響がなく、また、生体内の水分で膨張するため、例えば不定形の瘤等であっても容易に塞栓することができる。また、投入材が膨潤性高分子であるため、瘤等の大きさに応じて膨潤性高分子を任意の量に調整することが加能であり、１種類の膨潤性高分子を用意すればよいため、塞栓のための手術前の準備が容易である。また、瘤等を塞栓するためにコイルを使用しなくてもよいため、手術の費用を低減できる。
【００２２】
また、上記（５）に記載の発明によれば、投入材が生分解性の高分子であるため、この高分子によって瘤出口の器質化が進み、血液が瘤内に流れ込むのを防ぐと同時に、瘤内の高分子の分解とともに、瘤自身の体積も減少していく。
【００２３】
また、上記（６）に記載の発明によれば、投入材が被覆材により覆われるため、投入材を使用環境下から保護することができる。したがって、例えば投入材が膨潤性高分子である場合に、膨潤性高分子の膨潤を、膨潤性高分子が切り離されるまで抑制することができる。
【００２４】
また、上記（７）に記載の発明によれば、投入材が接着される部位が窪んで形成さるため、投入材へ作用する外力を低減させ、投入材が誤って切り離されることを抑制できる。
【００２５】
また、上記（８）に記載の発明によれば、直状に延びるルーメンを有するため、ルーメンによる様々な作業が可能となる。例えば、ルーメンから瘤の塞栓に使用するワイヤを挿入することができ、従って、例えば膨潤性高分子とコイルを併用して瘤を塞栓することができる。また、ルーメンに、光ファイバを挿入することも加能である。
【００２６】
また、上記（９）に記載の発明によれば、投入材が複数搭載されているため、例えば複数種類の高分子や薬剤等を同時に投入することができる。
【発明を実施するための最良の形態】
【００２７】
本発明の実施の形態を、図面を参照しつつ説明する。
【００２８】
図１は、本実施形態に係るカテーテルの平面図、図２は、本実施形態に係るカテーテルの先端を示す部分断面図、図３は、図２のＩＩＩ−ＩＩＩ線に沿う断面図、図４は、同カテーテルの先端部を示す斜視図である。
【００２９】
本実施形態に係るカテーテル１は、人体の血管や器官等に入り込み、生体内に診断や治療用の材料を投入するために利用される医療用のカテーテルである。カテーテルとしては、例えば、外径が１Ｆｒ〜９Ｆｒ（１ｍｍ＝３Ｆｒ）、長さが約０．９ｍ〜３．５ｍ、屈曲度が２０度〜１８０度の、ガイディングカテーテル、動脈瘤カテーテルまたはマイクロカテーテル等が挙げられるが、これらに限定されない。
【００３０】
カテーテル１は、図１〜４に示すように、光ファイバ部４および、光ファイバ部４を覆う長尺なカテーテル本体２を有している。
【００３１】
カテーテル本体２は、一端側で基体部５に連結される。この基体部５に設けられるレーザ光出射部６（光出射部）には、光ファイバ部４の一端が、例えばフェルール等からなる接続部１０を介して接続される。レーザ光出射部６は、光ファイバ部４にレーザ光を供給する装置であり、制御部３に接続されて制御される。
【００３２】
レーザ光出射部６は、公知のレーザ発振器であるため詳細は省略するが、例えば半導体レーザ素子を備え、このレーザ素子からレーザ光を発生させて光ファイバ部４に入射させる。また、レーザ光出射部６に、例えば固体レーザ素子を用いることも加能である。なお、本実施の形態と異なり、レーザ光出射部６を基体部５の外部、例えば制御部３内に配置する構成を採用してもよい。
【００３３】
レーザ光が進行する光ファイバ部４は硬質性の光ファイバであり、たとえば、ＳｉＯ２（石英ガラス）系光ファイバまたはプラスチック光ファイバを用いて構成される。光ファイバ部４は、たとえば、中心軸に位置してレーザ光が通過するコア７と、それを取り囲むクラッド８と、を含む二層構造で成り立っている。
【００３４】
カテーテル本体２には、生体内にバルーンやワイヤ等を挿入するために、直状の空間部であるルーメン９が形成される。本実施形態では、ルーメンは１つであるが、２つ以上が形成されてもよい。カテーテル本体２は、例えばポリウレタン、ポリオレフィン、ポリエステル、ポリカーボネイト、ポリサルフォンやシリコーンのような柔軟性に優れた高分子材料等で形成される。
【００３５】
光ファイバ部４の先端は、カテーテル本体２から露出されており、この光ファイバ部４のコア７が露出される部位に、接着部１１によって投入材１２が接着される。なお、光ファイバ部４の先端を露出させるのではなく、例えば光ファイバ部４の先端に光を透過する部材を設け、この部材に投入材１２を接着してもよい。
【００３６】
接着部１１は、使用環境温度において溶融しないように、使用環境温度よりも高い融点を有する必要がある。本実施形態に係るカテーテル１は、生体内で使用されるため、生体温度よりも高い融点を有しており、また生体適応性を有している。生体への影響をできるだけ少なくするために、融点が生体温度よりも高すぎないことが望ましく、例えば４５℃〜６０℃程度の融点を有する低融点の高分子が選定される。
【００３７】
投入材１２は、本実施形態では、水分に触れることにより膨潤する膨潤性高分子であり、生体内で使用されるため、生体適応性を有している。投入材１２が接着されている際に投入材１２が水分に触れないよう、投入材１２の接着部１１と接する部位以外が、被覆材１３で覆われている。被覆材１３は、生体適応性を有する例えばポリマーであり、生分解性であることが望ましい。
【００３８】
接着部１１である高分子には、例えばポリカプロラクトン、ポリカーボネイト等が用いられる。
【００３９】
投入材１２である膨潤性高分子には、例えば非分解性のものとして、ポリビニルアルコール、ポリエチレンオキシド、ポリメチルビニルエーテル、ポリアクリル酸等ある。生分解性のものとしては、カルボキシメチルセルロース等の多糖類、ポリグルタミン酸、ポリリジン、ポリアスパラギン酸等のポリアミノ酸系高分子が用いられる。
【００４０】
被覆材１３であるポリマーには、例えばポリ乳酸、ポリグリコール酸、ポリカプロラクトン、ポリジオキサノン等が用いられる。
【００４１】
図５は、本実施形態に係るカテーテルの変形例の先端を示す部分断面図である。図５に示すように、光ファイバ部４を、カテーテル本体２の外面から窪んで設けることもできる。この場合には、この凹部１７に投入材１２が位置するため、投入材１２へ作用する外力を低減させ、投入材１２が誤って切り離されることを抑制できる。
【００４２】
次に、本実施形態に係るカテーテル１の使用方法について説明する。
【００４３】
＜第１の使用例＞
まず、本実施形態に係るカテーテル１を、動脈瘤Ｂを塞栓するために使用する第１の使用例を示す。
【００４４】
図６は、本実施形態に係るカテーテルにより動脈瘤を塞栓する際の第１の使用例を示す断面図であり、（Ａ）はガイドワイヤが挿入された際、（Ｂ）はカテーテルが挿入された際、（Ｃ）は瘤が塞栓された際を示す。
【００４５】
初めに、血管内にガイドワイヤＧを挿入し、図６（Ａ）に示すように、先端を動脈瘤の近傍まで移動させる。
【００４６】
次に、図６（Ｂ）に示すように、カテーテル１の先端が動脈瘤Ｂの入口の近傍まで達するまで、カテーテル１をガイドワイヤＧに沿って移動させる。このとき、カテーテル１の先端には投入材１２が接着されている。投入材１２を接着している接着部１１は、融点が生体温度よりも高いため、生体内で接着部１１が溶融されることなく、したがって投入材１２が移動中に切り離されずに動脈瘤Ｂの近傍に達することができる。投入材１２が動脈瘤Ｂの近傍に達すると、ガイドワイヤＧが引き抜かれる。
【００４７】
この後、制御部３によりレーザ光出射部６を制御してレーザ光を出射する。レーザ光出射部６から出射されたレーザ光は、光ファイバ部４のコア７を通って先端部まで導かれ、接着部１１に照射される。レーザ光を受けた接着部１１は、融点以上まで加熱されて溶融し、投入材１２が被覆材１３と同時にカテーテル１から切り離される。接着部１１の上昇温度は、制御部３によってレーザ光出射部６からのレーザ光の時間密度、照射時間および強度を制御することにより、任意に設定することができる。また、レーザ光の照射により温度が上昇しやすいように、接着部１１に色素を混入させることも有効である。
【００４８】
投入材１２は膨潤性高分子であり、接着部１１が溶融したために生体内の水分と接触し、生体内の水分を吸収して膨潤する。これにより、動脈瘤Ｂの内部が膨潤性高分子で充填されて塞栓され、弱くなった血管を血圧の脈動等に晒さずに保護することができる。
【００４９】
投入材１２が確実に瘤内を塞栓したことを確認した後、カテーテル１を抜去する。
【００５０】
この切り離しにおいて、融点が生体温度からあまり高すぎない接着部１１が使用されるため、生体内への影響を極力抑えることができる。また、接着部１１、投入材１２および被覆材１３は、生体内に残存することになるが、これらが生体適応性を有し、かつ高分子であるため、生体への影響を抑えることができる。
【００５１】
従来の塞栓方法として、例えばコイルを動脈瘤の内部で球状として充填し、このコイルの周りに凝血や塊の形成を促して動脈瘤を塞栓する方法があるが、この方法では、動脈瘤が不定形であるため、完全に塞栓できずに再手術する必要性が生じる場合がある。また、動脈瘤の形状や大きさは場合によって異なるため、様々な長さや太さのコイルを手術前に予め準備する必要がある。また、大きな動脈瘤の塞栓においては、相当な量のコイルが必要となり、費用が高額となってしまう。
【００５２】
しかし、本実施形態に係るカテーテル１を用いれば、動脈瘤Ｂを最適な量の投入材１２で充填することができるため、不定形な動脈瘤Ｂにも対応することができる。
【００５３】
また、投入材１２である膨潤性高分子が動脈瘤Ｂに密に充填されるため、不定形の動脈瘤でも確実に塞栓でき、再手術の虞を抑えることができる。
【００５４】
また、一種類の投入材１２があれば、量を調整することで多様な瘤に対応することができ、費用を削減することができる。
【００５５】
また、光を用いて接着部１１を溶融させるため、カテーテル１に電流を流す必要がなく、生体に対して安全性が高い。
【００５６】
また、生分解性高分子を投入材１２として用いれば、瘤の体積の減少が期待できる。
【００５７】
＜第２の使用例＞
次に、本実施形態に係るカテーテル１を、動脈瘤Ｂを塞栓するために使用する第２の使用例を示す。
【００５８】
図７は、本実施形態に係るカテーテルにより動脈瘤を塞栓する際の第２の使用例を示す断面図であり、（Ａ）はガイドワイヤに沿ってカテーテルが挿入された際、（Ｂ）はカテーテルによりコイルが瘤内に充填された際、（Ｃ）は瘤が塞栓された際を示す。
【００５９】
初めに、血管内にガイドワイヤＧを挿入し、先端を動脈瘤Ｂの近傍まで移動させた後、図７（Ａ）に示すように、ガイドワイヤＧに沿ってカテーテル１を動脈瘤Ｂの入口の近傍まで移動させる。この後、ガイドワイヤＧは引き抜かれる。
【００６０】
次に、図７（Ｂ）に示すように、金属性のコイル１５がカテーテル１のルーメン９を通って動脈瘤Ｂ内へ導かれ、コイル１５が球状に充填される。
【００６１】
この後、制御部３によりレーザ光出射部６を制御してレーザ光を出射し、接着部１１に照射する。レーザ光を受けた接着部１１は、融点以上まで加熱されて溶融し、投入材１２が被覆材１３と同時にカテーテル１から切り離される。
【００６２】
投入材１２は膨潤性高分子であり、接着部１１が溶融したために生体内の水分と接触し、生体内の水分を吸収して膨潤する。用いられる膨潤性高分子の種類と量で、膨潤の程度を調整できる。第２の使用例は、第１の使用例と異なり、投入材１２である膨潤性高分子が動脈瘤Ｂの入口のみを覆うように膨潤する。このように、コイル１５を使用すると共に瘤Ｂの入口を膨潤性高分子で覆うことにより、動脈瘤Ｂを塞栓しつつ、コイル１５の端部が親動脈へ落ちることを抑制できる。
【００６３】
＜第３の使用例＞
次に、本実施形態に係るカテーテル１を、動脈瘤Ｂを塞栓するために使用する第３の使用例を示す。
【００６４】
図８は、本実施形態に係るカテーテルにより動脈瘤を塞栓する際の第３の使用例を示す断面図であり、（Ａ）はガイドワイヤに沿ってカテーテルが挿入された際、（Ｂ）はカテーテルによりコイルが瘤内に充填された際、（Ｃ）は瘤が塞栓された際を示す。
【００６５】
初めに、血管内にガイドワイヤＧを挿入し、先端を動脈瘤Ｂの近傍まで移動させた後、図８（Ａ）に示すように、ガイドワイヤＧに沿ってカテーテル１を動脈瘤Ｂの入口の近傍まで移動させる。この後、ガイドワイヤＧは引き抜かれる。
【００６６】
次に、図８（Ｂ）に示すように、金属性のフレーム用コイル１６がカテーテル１のルーメン９を通って動脈瘤Ｂ内へ導かれる。フレーム用コイル１６は、動脈瘤Ｂの形状を保持するフレームとしての機能を果す。したがって、フレーム用コイル１６は、動脈瘤Ｂ内に密に充填される必要はない。
【００６７】
この後、制御部３によりレーザ光出射部６を制御してレーザ光を出射し、接着部１１に照射する。レーザ光を受けた接着部１１は、融点以上まで加熱されて溶融し、投入材１２が被覆材１３と同時にカテーテル１から切り離される。
【００６８】
投入材１２は膨潤性高分子であり、接着部１１が溶融したために生体内の水分と接触し、生体内の水分を吸収して膨潤する。第３の使用例は、第１、２の使用例と異なり、膨潤性高分子がフレーム用コイル１６の隙間を埋めるように、動脈瘤Ｂ内に充填される。このように、フレーム用コイル１６と膨潤性高分子を併用することにより、コイルの量を減らして費用を削減することができる。また、フレーム用コイル１６の隙間が膨潤性高分子で満たされるため、最適な量の投入材１２で充填することにより、不定形な動脈瘤Ｂにも対応することができる。
【００６９】
また、投入材１２である膨潤性高分子が動脈瘤Ｂに密に充填されるため、不定形の動脈瘤でも確実に塞栓でき、再手術の虞を抑えることができる。
【００７０】
＜第４の使用例＞
次に、本実施形態に係るカテーテル１を、動脈を塞栓するために使用する第４の使用例を示す。第４の使用例は、癌細胞Ｃに栄養を供給する動脈を塞栓して癌細胞Ｃへの血液の流れを遮断する例であり、例えば肝動脈塞栓術や子宮動脈塞栓術として適用される。
【００７１】
図９は、本実施形態に係るカテーテルにより動脈を塞栓する際の第４の使用例を示す断面図であり、（Ａ）はカテーテルが挿入された際、（Ｂ）は動脈が塞栓された際を示す。
【００７２】
初めに、血管内にガイドワイヤＧを挿入し、先端を、癌細胞Ｃに血液を供給している血管の癌細胞Ｃに対する上流側から、癌細胞Ｃの近傍まで移動させた後、図９（Ａ）に示すように、ガイドワイヤＧに沿ってカテーテル１を癌細胞Ｃの上流側の近傍まで移動させる。この後、ガイドワイヤＧは引き抜かれる。
【００７３】
次に、制御部３によりレーザ光出射部６を制御してレーザ光を出射して接着部１１に照射する。レーザ光を受けた接着部１１は、融点以上まで加熱されて溶融し、投入材１２がカテーテル１から切り離される。
【００７４】
投入材１２は膨潤性高分子であり、接着部１１が溶融したために生体内の水分と接触するため、生体内の水分を吸収して膨潤し、図９（Ｂ）に示すように、動脈が塞栓される。これにより、癌細胞Ｃに栄養を供給している血管が閉塞されて、癌細胞Ｃへの栄養の供給が停止され、癌細胞Ｃを死滅させることができる。
【００７５】
なお、本発明は上述した実施の形態に限定されるものではなく、特許請求の範囲内で種々改変することができる。例えば、上述のカテーテル１に、用途によって必要となる他の構成を設けることが加能である。また、投入材１２は膨潤性高分子に限定されず、例えば抗癌剤等の薬剤、造影剤等、生体内に投入される種々のものを適用できる。また、光出射部には、レーザ発振器ではなく、全色光（多色光）を出射する例えばランプ等を用いてもよい。また、カテーテル１は、例えば形状記憶合金や形状記憶ポリマー等が用いられて能動的に屈曲されるカテーテル１であってもよい。また、カテーテル本体２を、光ファイバ部４を覆うように形成するのではなく、カテーテル本体２に光ファイバを挿入加能なルーメンを形成し、このルーメンに、先端に投入材１２を接着した光ファイバを挿入可能に形成してもよい。また、上述の実施形態に係るカテーテル１は医療用のカテーテルであるが、必ずしも医療用に限られない。また、投入材１２を光ファイバの先端に接着するのではなく、光ファイバの側面のクラッド８からコア７を露出させて、この露出部から投入材１２にレーザ光を照射してもよい。投入材１２が、複数個搭載されてもよい。この場合には、例えば抗癌剤と膨潤性高分子を同時に投入する等、複数種類の投入材１２を同時に投入することが可能となる。
【図面の簡単な説明】
【００７６】
【図１】本実施形態に係るカテーテルの平面図である。
【図２】本実施形態に係るカテーテルの先端を示す部分断面図である。
【図３】図２のＩＩＩ−ＩＩＩ線に沿う断面図である。
【図４】同カテーテルの先端部を示す斜視図である。
【図５】本実施形態に係るカテーテルの変形例の先端を示す部分断面図である。
【図６】本実施形態に係るカテーテルにより動脈瘤を塞栓する際の第１の使用例を示す断面図であり、（Ａ）はガイドワイヤが挿入された際、（Ｂ）はカテーテルが挿入された際、（Ｃ）は瘤が塞栓された際を示す。
【図７】本実施形態に係るカテーテルにより動脈瘤を塞栓する際の第２の使用例を示す断面図であり、（Ａ）はガイドワイヤに沿ってカテーテルが挿入された際、（Ｂ）はカテーテルによりコイルが瘤内に充填された際、（Ｃ）は瘤が塞栓された際を示す。
【図８】本実施形態に係るカテーテルにより動脈瘤を塞栓する際の第３の使用例を示す断面図であり、（Ａ）はガイドワイヤに沿ってカテーテルが挿入された際、（Ｂ）はカテーテルによりコイルが瘤内に充填された際、（Ｃ）は瘤が塞栓された際を示す。
【図９】本実施形態に係るカテーテルにより動脈を塞栓する際の第４の使用例を示す断面図であり、（Ａ）はカテーテルが挿入された際、（Ｂ）は動脈が塞栓された際を示す。
【符号の説明】
【００７７】
１    カテーテル、
２    カテーテル本体、
３    制御部、
４    光ファイバ部、
５    基体部、
６    レーザ光出射部、
７    コア、
８    クラッド、
９    ルーメン、
１０    接続部、
１１    接着部、
１２    投入材、
１３    被覆材、
１５    コイル、
１６    フレーム用コイル、
１７    凹部、
Ｂ    動脈瘤、
Ｃ    癌細胞、
Ｗ    ガイドワイヤ。
【図１】
2008253516.tif 000003
【図２】
2008253516.tif 000004
【図３】
2008253516.tif 000005
【図４】
2008253516.tif 000006
【図５】
2008253516.tif 000007
【図６】
2008253516.tif 000008
【図７】
2008253516.tif 000009
【図８】
2008253516.tif 000010
【図９】
2008253516.tif 000011